(57)【特許請求の範囲】
【請求項１】
常時解錠方向にバネ(3) により附勢させたロック棒(2) を、レバー(4) の操作で押圧してバネ(3) の弾発力に抗して前方にスライドさせて鎖錠位置をとらせた状態で、該レバー(4) を係止手段(5) により係止させた鎖錠装置において、前記ロック棒(2)はパネル(201)に固定される鎖錠装置のケース(1)の下面側に常時解錠方向にバネ(3)により附勢されてスライド自在に嵌合して、ケース(1)の上面に設けた上部開口(14)に起倒自在に取り付けたレバー(4)の伏倒状態にあってはレバー(4)の下方に垂設した押圧部(41)によりロック棒(2)の上端に突設した係止突起(23)を押圧して、該ロック棒(2)をバネ(3)に抗して鎖錠位置に移動させたことを特徴とする鎖錠装置。
【発明の詳細な説明】
【０００１】
【発明の属する技術分野】
本発明は、箱の扉や蓋、側板等のパネルを取付保持するため使用する鎖錠装置に関するものである。
【０００２】
【従来の技術】
従来のパネルを取付保持するため使用する鎖錠装置としてのラッチ錠は、ラッチ棒を常時バネにより鎖錠方向に附勢して先端係合部を盤類に設けた係止部に係合させて鎖錠を行い、解錠時にはレバーの操作によりラッチ棒をバネに抗して解錠方向に作動させるものであった（例えば、特開平１０−８８０８号公報）。
【０００３】
【発明が解決しようとする課題】
ところが、このような従来のものはラッチ棒が常時バネにより鎖錠方向に附勢されているので、的確に鎖錠状態を維持するが、解錠状態を維持するにはレバーをバネに抗して手指により保持させる必要があり、２個以上のラッチ錠をパネルの止め具と使用している場合においては各ラッチ錠を解錠位置に保持させることが１人の作業者では困難である問題があった。
【０００４】
【課題を解決するための手段】
前記の課題を解決するためになされた本発明の鎖錠装置は、常時解錠方向にバネにより附勢させたロック棒を、レバーの操作で押圧してバネの弾発力に抗して前方にスライドさせて鎖錠位置をとらせた状態で、該レバーを係止手段により係止させた鎖錠装置において、前記ロック棒はパネルに固定される鎖錠装置のケースの下面側に常時解錠方向にバネにより附勢されてスライド自在に嵌合して、ケースの上面に設けた上部開口に起倒自在に取り付けたレバーの伏倒状態にあってはレバーの下方に垂設した押圧部によりロック棒の上端に突設した係止突起を押圧して、該ロック棒をバネに抗して鎖錠位置に移動させたことを特徴とするものである。
【０００５】
【発明の実施の形態】
次に、盤類に使用した本発明の好ましい実施の形態を図面に基づき説明する。１は盤類１０１の内扉やシールド板等のパネル２０１に固定される鎖錠装置のケースであり、このケース１の下面側にはロック棒２が常時解錠方向にバネ３により附勢されてスライド自在に嵌合されている。即ち該ロック棒２は底面に先端から基端に亘り設けた溝２２に押しバネ３を嵌合して該押しバネ３の先端をケース１の先端開口１２の下面板部１１に立設した舌片１１ａに当接したうえ押しバネ３の基端を溝２２の基端に形成した底部２２ａに当接してロック棒２を常時後方即ち解錠方向に附勢してケース１内の解錠位置に位置されている。なお、舌片１１ａはロック棒２のスライドを阻害しないように溝２２内に挿通できる大きさであることは勿論である。また、前記ロック棒２は両側に突設した軸部２１、２１をケース１の両側板部１３、１３の下方に設けたスライド溝１３ａ、１３ａにスライド自在に嵌合されたものである。さらに、バネ３としては引っ張りバネをロック棒２とケース１の背面板１５間に介在させてロック棒２を常時解錠方向に附勢させた構成としてもよい。
【０００６】
４は前記ケース１の上面に設けた上部開口１４に起倒自在に取り付けたレバーであって、該レバー４は前方両側に突設した軸部４ａ、４ａをケース１の両側板部１３、１３の上部に設けた軸受部１３ｂ、１３ｂに軸支されている。そして、該レバー４はケース１内に収まった伏倒状態にあってはレバー４の両側下方に垂設した押圧部４１、４１によりロック棒２の上端両側に突設した係止突起２３、２３を押圧して、該ロック棒２をバネ３に抗して鎖錠位置に移動させてケース１の先端開口１２からロック棒２の先端係合部２４を突出させて盤類１０１のパネル支持部１０２に設けた係止孔１０３に挿入させるものである。
【０００７】
５は前記レバー４がケース１内に収まった伏倒状態を保持させる係止手段であり、該係止手段５はケース１の背面板１５の中央部上端の内面にフック５１を突設するとともに該フック５１の後部にフック引き外し用の引き起こし爪５２を張設したものであるが、後記するロック棒２を鎖錠位置でロックするためレバー４をケース１内に収まった伏倒状態にロックするスライドロック機構６であってもよい。
【０００８】
６はレバー４をケース１内に収まった伏倒状態にロックして、フック５１の係止が解かれてもロック棒２の解錠を防止するスライドロック機構である。このスライドロック機構６は図５に示すようにレバー４の基端側裏面に前後方向に設けた凹段部４４にスライド板６１を下方から摺動自在に嵌合するとともに該スライド板６１の上端に中央に突設した操作突起６２を凹段部４４の中央に前後方向に透設したスライド孔４４ａから露呈させ、また、スライド板６１の下面を後記する板バネ７の上部バネ板部７１に抜け落ちることなく支持させて前後方向にスライド自在としてスライド板６１の基端に連設したロック板部６３をケース１の背面板１５に形成したロック孔６４に嵌脱させるものである。なお、スライド板６１の下面を後記する板バネ７の上部バネ板部７１に支持させることによりスライド板６１の上面に突設した位置決用の突起６１ａとレバー４の凹段部４４に設けた位置決用の凹部６１ｂとの係脱時のスライド板６１とレバー４との間の上下動を板バネ７の上部バネ板部７１の弾性により吸収されて確実にロックできるものである。
【０００９】
７はレバー４の下面とロック棒２との間に介在させた横Ｕ字状に彎曲させた板バネであり、該板バネ７は上部バネ板部７１をレバー４の下面に添装するとともに下部バネ板部７２の基端両側を前記押圧部４１、４１の後部内側に突設した係止部４２に係合させて取り付けて、下部バネ板部７２の基端側をロック棒２の基端上部に臨ませてレバー４がケース１内に収まった伏倒状態においてロック棒２の基端上部を押圧させることができるものとしている。また、ロック機構６は板バネ７により支持されており、板バネ７はレバー４に係合しているので、ロック機構、板バネ、レバーを組み立てた後ケース１に取り付ければよいので組立が容易にできる。
【００１０】
このように構成されたものは、盤類１０１の内扉やシールド板等のパネル２０１に透設した取付孔２０１ａの孔縁前面にケース１の上面周縁に張設した鍔板部１ａを透設させるとともにケース１の両側板部１３、１３の外側に設けた弾性係止片１３ｃ、１３ｃを取付孔２０１ａの孔縁後面に当接して取り付ける。そして、レバー４を操作することにより、ロック棒２を盤類１０１のパネル支持部１０２に設けた係止孔１０３に係脱さてパネル２０１の鎖錠・解錠を行うものである。
【００１１】
本発明においては、バネ３により常時解錠方向に附勢されているロック棒２を、レバー４の操作でバネ３の弾発力に抗して鎖錠位置をとらせた状態で、該レバー４を係止手段５により係止させたものであるから、係止手段５によるレバー４の係止を解除すれば、レバー４によるロック棒２の鎖錠位置への固定が解かれて該ロック棒２がバネ３の弾発力によりケース１内の解錠位置に固定されることとなる。この場合に、ロック棒２が鎖錠方向に移動して係止孔１０３に係合する虞は全くないので、手指によりレバー４を保持して解錠位置をとらせる必要がないので２個以上のラッチ錠をパネルの止め具と使用する場合にあっても１人の作業者によりパネルの取付・取外作業を容易に行うことができるものである。
【００１２】
そして、ロック棒２を解錠位置から鎖錠させる場合には、レバー４を伏倒状態にして該レバー４の両側下方に垂設した押圧部４１、４１によりロック棒２の上端両側に突設した係止突起２３、２３を押圧させてロック棒２をバネ３の弾発力に抗して前方にスライドさせる。これによりケース１の先端開口１２からロック棒２の先端係合部２４が平行移動して突出し、盤類１０１のパネル支持部１０２に設けた係止孔１０３に挿入する。その後軸部２１がスライド溝１３ａの先端に当接させてさらに押圧を続ければ軸部２１を中心にロック棒２が回動して先端係合部２４を押し上げて支持部１０２を該先端係合部２４とパネル２０１により鋏みこんで鎖錠できる。そこで、係止手段５によるレバー４の係止を行えば鎖錠状態を的確に維持して解錠されることのないものである。
【００１３】
また、レバー４の下面とロック棒２との間に板バネ７を介在させて、鎖錠時に該板バネ７によりロック棒２の基端上部を下方に押圧させることにより、先端係合部２４と盤類１０１の係止孔１０３の係合縁１０３ａとの間隔が少々異なるものにおいても該板バネ７の弾性が間隔の違いを吸収できるものである。さらに、該板バネ７はその弾性により輸送中や地震時におけるパネル２０１の振動をロック棒２を介して吸収されてロック棒２ががたつくの防止するものである。
【００１４】
【発明の効果】
以上に説明したように、本発明の鎖錠装置は、常時解錠方向にバネにより附勢させたロック棒を、レバーの操作でバネの弾発力に抗して鎖錠位置をとらせた状態で、該レバーを係止手段により係止させたものであるから、解錠時にロック棒がバネの弾発力により解錠位置にあるので手指によりレバーを保持して解錠状態とする必要がないものである。従って、従来のラッチ錠の問題点を解決したものとして業界にもたらす益大なものである。
【図面の簡単な説明】
【図１】本発明の実施の形態を解錠状態で示す一部切欠側面図である。
【図２】本発明の実施の形態を鎖錠状態で示す一部切欠側面図である。
【図３】本発明の実施の形態を鎖錠状態で示す平面図である。
【図４】本発明の実施の形態を鎖錠状態で示す一部切欠正面図である。
【図５】スライドロック機構を示す拡大断面図である。
【符号の説明】
１ ケース
２ ロック棒
３ バネ
４ レバー
５ 係止手段
【図１】
0004001451.tif 000002
【図２】
0004001451.tif 000003
【図３】
0004001451.tif 000004
【図４】
0004001451.tif 000005
【図５】
0004001451.tif 000006